(57)【特許請求の範囲】
【請求項１】
容器本体と、該容器本体をパッキンを介して密封するようにした蓋体とからなる化粧料容器であって、
蓋体の頂壁内面には、頂壁との間に空間部を形成するよう仕切板が取着されており、
仕切板は、通気孔を穿設した中央平板部と、その周辺に段差を設けて形成された液保持部とからなり、該仕切板の上面の少なくとも一部に凹凸面を形成しており、
通気孔は、液体を通過させないよう径が２ｍｍ以下の細孔部を有していることを特徴とする化粧料容器。
【請求項２】
容器本体と、該容器本体をパッキンを介して密封するようにした蓋体とからなる化粧料容器であって、
蓋体の頂壁内面には、頂壁との間に空間部を形成するよう仕切板が取着されており、
仕切板は、中央を隆起させた球面状のドーム型であって、その上面の少なくとも一部に凹凸面を形成するとともに、径が２ｍｍ以下の細孔部を有する通気孔を穿設した中央部とその周辺に成形された液保持部が同一の球面上に連続するよう形成されていることを特徴とする化粧料容器。
【発明の詳細な説明】
【０００１】
【発明の属する技術分野】
本発明は、コンパクト、とくに水分、揮発性成分などを含んだ化粧料を気密に密封した化粧料容器に関する。
【０００２】
【従来の技術】
最近の化粧料には、水分、揮発性成分が多く含まれており、揮発した水分、揮発性成分等の蒸発気体がコンパクト容器の蓋体に結露し、水滴となって化粧料の上に落下し、シミを形成することがあった。
これを防止するために、特開平１０−２９０７１４号公報に記載されているようなコンパクト容器の蓋体を、外装板と内装板とから構成し、外装板と内装板の間に結露空間を設けるとともに、内装板に結露空間と容器本体内の空間とを連通する通気孔を設けるようにした、結露垂れ防止コンパクト容器が提案されている。
【０００３】
上記コンパクト容器は、蒸発気体の結露を、外装板の内面、内装板の上下面で行わしめ、内装板下面に結露する蒸発気体の量を低くおさえること、および内装板上面、結露空間における結露から生じる水滴の落下を防ぐことによって結露垂れを防止するようにしている。
【０００４】
【発明が解決しようとする課題】
しかしながら、上記の容器は、内装板が平板であるため、通気孔の開口を小さくし、水滴が落下しがたい構造としても、内装板の上に結露液が多く溜まると通気孔から落下するおそれがあった。
また、通気孔の周囲に土手を設けても、通気孔の孔が大きいと外装板下面の結露から落下する水滴が通気孔上に落下し、通気孔から化粧料の上に落ちるおそれがあった。
さらに、内装板の周辺に通気通路を形成するようにした実施例も記載されているが、その場合には、内装板の周辺から水滴が落下するという問題が生じた。
【０００５】
本発明は、上記の問題点を解決することを課題として、化粧料に含まれる水分、揮発性成分が蒸発して結露し、水滴となって化粧料の上に落下することを完全になくすことができる化粧料容器を提供することを目的とする。
【０００６】
【課題を解決するための手段】
本発明は、上記の課題を解決するため、化粧料容器として、容器本体と、該容器本体をパッキンを介して密封するようにした蓋体とからなる化粧料容器であって、蓋体の頂壁内面には、頂壁との間に空間部を形成するよう仕切板が取着されており、仕切板は、通気孔を穿設した中央平板部と、その周辺に段差を設けて形成された液保持部とからなり、該仕切板の上面の少なくとも一部に凹凸面を形成しており、通気孔は、液体を通過させないよう径が２ｍｍ以下の細孔部を有していることを特徴とする構成を採用する。
【０００７】
また、蓋体を変更した別実施態様として、容器本体と、該容器本体をパッキンを介して密封するようにした蓋体とからなる化粧料容器であって、蓋体の頂壁内面には、頂壁との間に空間部を形成するよう仕切板が取着されており、仕切板は、中央を隆起させた球面状のドーム型であって、その上面の少なくとも一部に凹凸面を形成するとともに、径が２ｍｍ以下の細孔部を有する通気孔を穿設した中央部とその周辺に成形された液保持部が同一の球面上に連続するよう形成されていることを特徴とする構成を採用する。
【０００８】
【発明の実施の形態】
次に、本発明の実施形態について、図面を参照して説明する。
図１に示すように、化粧料容器Ａは、容器本体Ａ１と、該容器本体Ａ１に開閉自在に取着された蓋体Ａ２とからなっており、硬質の合成樹脂によって成形されている。
【０００９】
図１，２，３に示すように、容器本体Ａ１は、底壁１と側周壁２とを具えており、側周壁２の上部には、側周壁２の外側に拡径された係合筒３がフランジ４を介して連設されている。
側周壁２の上端縁２ａ外周と係合筒３内周との間には、軟質の合成樹脂で形成された外周に段部５を形成したパッキン受けリング６が嵌挿されており、係合筒３の上端縁外周には膨出環７が形成されている。
係合筒３の所定の個所には、一対の蝶番の支持片８ａ，ｂが突設されており、支持片８ａ，ｂの間には、蝶番ピン９が架設されている。
【００１０】
蓋体Ａ２は、内面側に仕切板１０を装着した頂壁１１と側周壁１２とを備えており、頂壁１１下面には、係合リング１３が垂設されている。
側周壁１２の下部内周は、容器本体Ａ１の係合筒３の膨出環７に嵌合するように拡径され、下端縁内周には、膨出環７の下面に係合する嵌合突条１４が突設されている。
側周壁１２の外周には、係合筒３の蝶番の支持片８ａ，ｂに対応する位置に、取付片１５が突設されており、取付片１５の先端部には、蝶番ピン９に廻動自在に嵌合される軸受部１６を有する二又１７が形成されている。
【００１１】
図４に示すように、仕切板１０は、通気孔２０を穿設した中央部の平板部２１と、その周辺に平板部２１との間に段差が設けられた液保持部２２とからなっており、液保持部２２の周縁には、取付リング２３が立設されている。
前記平板部２１の上面には、通気孔２０の周辺部２４を除いて刻設された微細な凹凸によって凹凸面２５が形成されている。
【００１２】
図においては、凹凸面２５が平板部２１を中心に形成されているが、凹凸面２５を液保持部２２に形成してもよく、通気孔２０の周辺部２４にも凹凸を刻設してもよいし、径方向の範囲を狭くするようにしてもよい。
また、周方向の範囲も全方向にわたって設けられているが、一定角度毎に部分的に設けてもよい。
【００１３】
仕切板１０に続いて、取付リング２３の外側には、フランジ状に広がるパッキン押え２６が連設されている。
取付リング２３外周は、頂壁１１の係合リング１３の内周に圧接し、取付リング２３の上端は、超音波リブを介して頂壁１１下面に取着され、頂壁１１と仕切板１０とによって空間部Ｓが形成されている。
【００１４】
図４に示すように、通気孔２０は、平板部２１に一定の間隔をおいて配置されており、その縦断面は、円筒状の細孔、または図５（ａ）に示すように、下端を細孔２７として狭まった漏斗型の通気孔２０ａ、または図（ｂ）に示すように、下端部を細孔２７とし上端部を拡径部２８としたしぼり弁型の通気孔２０ｂを採用し、いずれも気体は自由に通過できるが、液体はその表面張力により通過できないような細孔としている。
【００１５】
細孔２７の径は、水分、揮発性成分の含有量等から計算、実験を通じて設定する。
液体として、化粧料に含まれる揮発性成分の一つであるアルコールを用い、細孔の径を３ｍｍ，２ｍｍ，１ｍｍと順次細くして簡単な落下テストを行った。
その結果３ｍｍでは落下、２ｍｍでは場合によって落下することもあるが、落下しない方が多かった。
１ｍｍでは完全に落下しなかった。
アルコールは、化粧料に使用される各種揮発性成分の液体中で、表面張力、比凝集力は比較的に小さく、アルコールが落下しない細孔の径を求めると殆どの揮発性成分の結露液は落下しないことになる。
【００１６】
さらに水分が多くなると、細孔の径が大きくなっても結露液を通さなくなる。  すなわち、水は、アルコールに比して、表面張力、比凝集力が大きく、２０°Ｃで表面が空気に接しているときの表面張力は約３．３倍であり、比凝集力は約２．６倍であるので、水分が多くなればそれに応じて細孔２７の径を大きくすることができる。
したがって、細孔２７の径を２ｍｍ以下とすれば、化粧料に含まれる水分、揮発性成分の含有量がどのように変化しても結露液を通さない。
【００１７】
図２，３に示すように係合リング１３の外側の周辺部と側周壁１２の内周上端から内周に沿うようパッキン２９が装着されており、該パッキン２９は、水平部３０と垂直部３１とからなる断面逆Ｌ字状に形成されており、エラストマーによって成形されている。
パッキン２９の水平部３０は、仕切板１０のパッキン押え２６によって頂壁１１に圧接されており、垂直部３１の下端部３１ａは内方に傾斜され、パッキン受けリング６の上端外周と段部５に係合圧接するようになっている。
【００１８】
次に、本発明容器の使用態様と作用効果について説明する。
容器本体Ａ１に、水分、揮発性成分等を含んだ化粧料を収納して蓋体Ａ２を閉じる。
その際、蓋体Ａ２の側周壁１２の嵌合突条１４が、容器本体Ａ１の係合筒３の
膨出環７の下側に係合して、蓋体Ａ２を容器本体Ａ１に嵌着させるとともに、蓋体Ａ２のパッキン２９の下端部３１ａが、パッキン受けリング６上部外周面と段部５に圧接して容器内を密封する。
【００１９】
時間の経過、外気温度の上昇に伴う容器内の温度上昇に応じて、化粧料中の水分、揮発性成分が蒸発し、密封された容器本体内に充満することになるが、温度が下降すると蒸発気体は過飽和状態となり、外気に触れて温度降下の激しい蓋体に接して結露する。
【００２０】
その際、結露した水分、揮発性成分は、液体となって仕切板１０上に落ちるが、通気孔２０は、液体を通過させないので、結露して落下した液は、まず始めに凹凸面２５に保持され、その量が多くなると、周辺部の液から順次液保持部２２に移動し、その後に中央の液が移動する。
かくして、仕切板１０上に落ちた液体は、液保持部２２に移動し液保持部２２に滞留保持されるので、通気孔２０から化粧料の上に落下することはない。
【００２１】
また、再び温度が上昇した場合には、容器内は乾き状態となり、水分、揮発性成分の蒸発が行われるが、密封状態となっているので、先に結露した液体も蒸発して飽和状態が維持され、化粧料内からの水分、揮発分の余分な蒸発を押さえることができる。
【００２２】
次に、本発明の第２実施形態について、図面を参照して説明する。
本実施形態は、前実施形態における仕切板をドーム型にしたものである。
第１実施形態との相違点を中心に以下説明する。
図６に示すように、化粧料容器Ａａは、前記実施形態と同一の容器本体Ａ１、蓋体Ａ２とからなっている。
蓋体Ａ２に取着された仕切板４０は、前実施形態と同様に、取付リング４１とパッキン押え４２を具えている。
【００２３】
仕切板４０は、中央を隆起させた球面状のドーム型に形成されており、通気孔４３を穿設した中央部４４とその周辺に形成された液保持部４５は、同一の球面上に連続するように形成されている。
図７に示すように、仕切板４０の中央部４４には、通気孔４３の周辺部４６を除いて刻設された微細な凹凸によって凹凸面４７が形成されている。
凹凸面４７の形成範囲は、前第１実施形態と同様に図示されたものに限定されない。
通気孔４３の形状は、前記第１実施形態の形状と同一にすることが好ましいが、細孔部分は、少し大きくなってもよい。
【００２４】
次に、本実施形態の作用効果について説明すると、結露して仕切板４０上に落下した液は、まず始めには仕切板４０の凹凸面４７に保持される。
その量が多くなると、仕切板４０がドーム型で凹凸面４７が刻設されているため、落下した液体は中央部４４から周辺に流れ、液保持部４５に滞留保持されることになり、前記第１実施形態と同一の作用効果がもたらされる。
さらに、仕切板４０の中央部４４に液が滞留することがないから、通気孔４３の大きさ、形状に対する制約をさらに弛めることができる。
【００２５】
前記各実施形態では、蓋体を蝶番によって容器本体に取着するようにしたが、容器本体の口部に嵌着する被せ蓋またはネジ式のキャップであってもよい。
また蓋体の頂壁をドーム型にしてもよく、その場合は頂壁内面に結露した液は毛管作用により移動して液保持部に溜まる。
【００２６】
本発明化粧料容器は、単体の化粧料容器として使用することができるが、またコンパクトケースに入れる交換用の化粧料容器として使用することもできる。
【００２７】
【発明の効果】
本発明は、上記のように構成されているから、次の効果を奏する。
蓋体の頂壁内面に、通気孔を穿設した仕切板を取着し、通気孔より液体が落下しないようにしているから、蓋体の頂壁裏面に結露した水分、揮発性成分等の液が、化粧料の上面に落下することを完全に防止できるようになった。
【図面の簡単な説明】
【図１】  本発明第１実施形態の化粧料容器の断面正面図である。
【図２】  開蓋状態の断面正面図である。
【図３】  開蓋状態の平面図である。
【図４】  仕切板の上面図である。
【図５】  通気孔の説明図で、（ａ）（ｂ）は二つの形状例を示す図である。
【図６】    本発明第２実施形態の化粧料容器の断面正面図である。
【図７】  仕切板の上面図である。
【符号の説明】
Ａ，Ａａ，Ａｂ    化粧料容器
Ａ１              容器本体
Ａ２              蓋体
Ｓ                空間部
１                底壁
２                側周壁
３                係合筒
６                パッキン受けリング
１０，４０        仕切板
１１              頂壁
１２              側周壁
２０，４３        通気孔
２１              平板部
４４              中央部
２２，４５        液保持部
２３，４１        取付リング
２５，４７        凹凸面
２６，４２        パッキン押え
２７              細孔
２９              パッキン
３０              水平部
３１              垂直部
３１ａ            下端部
【図１】
0003889170.tif 000002
【図２】
0003889170.tif 000003
【図３】
0003889170.tif 000004
【図４】
0003889170.tif 000005
【図５】
0003889170.tif 000006
【図６】
0003889170.tif 000007
【図７】
0003889170.tif 000008